(57)【要約】【課題】同期モータを起動する際、位置決めモードの目標回転子位置と、実際の回転子位置とが真逆にあった場合でも、位置決めモードから同期運転モードへの切り替え後に発生する大きな速度変化を抑制し、負荷トルクによらず一様な短時間再起動特性を実現する。【解決手段】同期モータを起動する際の位置決めモードにおいて、まず、電機子巻線の電流径路を固定して、電流を目標値まで徐々に増大させ、目標値に到達後、目標回転角度位置を時間の経過とともに少しずつ変化させることにより、電機子巻線の電流径路を変化させ、確実にモータトルクを引出し、位置決めをした後に同期運転モードに移行させる。【選択図】図１
2007236048.tif 000002
【特許請求の範囲】
【請求項１】
同期モータの起動時に、その電機子巻線に対して通流径路を固定して通電する位置決めモードと、この位置決めモードの後に、可変電圧・可変周波数の交流を前記電機子巻線に供給する同期運転モードを備えた同期モータの制御方法において、前記位置決めモード中に、前記通流径路を時間の経過とともに連続的に移動させる位相回転モードを設けたことを特徴とする同期モータの制御方法。
【請求項２】
同期モータの起動時に、その回転子を所定の目標回転角度位置に向かって停止するように、電機子巻線に通電する位置決めモードと、この位置決めモードの後に、可変電圧・可変周波数の交流を前記電機子巻線に供給する同期運転モードを備えた同期モータの制御方法において、前記位置決めモード中に、前記目標回転角度位置を時間の経過とともに連続的に移動させる位相回転モードを設けたことを特徴とする同期モータの制御方法。
【請求項３】
請求項１または２において、前記位置決めモード中に、前記電機子巻線に流れる電流を所定値まで増加させる初期位置決めモードと、その後、電流を前記所定値付近に保ちながら、前記電機子巻線内の電流径路または前記目標回転角度位置を時間の経過とともに連続的に変化させる位相回転モードを設けたことを特徴とする同期モータの制御方法。
【請求項４】
請求項１または２において、前記位相回転モード中に、前記電機子巻線に流れる電流を増加させることを特徴とする同期モータの制御方法。
【請求項５】
請求項１、２または４のいずれかにおいて、前記位置決めモードの全期間に亘って、前記位相回転モードとしたことを特徴とする同期モータの制御方法。
【請求項６】
請求項１〜５のいずれかにおいて、３相の正負アームに半導体スイッチを有し、前記同期モータの前記電機子巻線に給電する３相電力変換回路を備え、前記位置決めモード中に、前記電力変換回路内の１相（又は２相）の前記半導体スイッチのオン／オフ状態を固定し、他の２相（又は１相）の前記半導体スイッチをオン／オフ制御することを特徴とする同期モータの制御方法。
【請求項７】
請求項１〜５のいずれかにおいて、３相の正負アームに半導体スイッチを有するとともに、前記同期モータの前記電機子巻線に給電する３相電力変換回路を備え、前記位置決めモード中に、前記電力変換回路内の１相の負（又は正）アームの半導体スイッチをオンに固定した状態で、他の２相の負（又は正）アームの半導体スイッチを同時にオンする期間を含むように前記半導体スイッチをオン／オフ制御することを特徴とする同期モータの制御方法。
【請求項８】
請求項１〜５のいずれかにおいて、３相の正負アームに半導体スイッチを有するとともに、前記同期モータの前記電機子巻線に給電する３相電力変換回路を備え、前記位置決めモード中に、電力変換回路内の第１、２相の負（又は正）アームの半導体スイッチをオン状態に固定する第１のスイッチパターンと、第１，３相の負（又は正）アームの半導体スイッチをオン固定とする第２のスイッチパターンとの組み合わせで、前記半導体スイッチをオン／オフ制御することを特徴とする同期モータの制御方法。
【請求項９】
請求項1〜８のいずれかにおいて、低分解能回転位置センサーを用いて位置フィードバックを行うことを特徴とする同期モータの制御方法。
【請求項１０】
請求項1〜９のいずれかにおいて、前記電機子の１相の正または負のピーク電流位相を跨ぐように、前記目標回転角度位置または前記電機子内の電流流通径路を時間の経過とともに連続的に移動させる位相回転モードを設けたことを特徴とする同期モータの制御方法。
【請求項１１】
同期モータに可変電圧・可変周波数の交流を供給する電力変換回路と、前記同期モータに流れる電流を検出する電流検出手段と、周波数指令値，電流指令値，および前記電流検出手段の出力を入力し、前記電力変換回路を制御する制御手段と、この制御手段内に設けられ、前記同期モータの起動時に、その電機子巻線に対して通流径路を固定して前記電力変換回路から通電させる位置決め制御部と、この位置決めの後に、前記電力変換回路から可変電圧・可変周波数の交流を前記電機子巻線に供給させる同期運転制御部を備えた同期モータの制御装置において、前記位置決め制御部は、前記通流径路を、時間の経過とともに移動させる位相回転制御部を備えたことを特徴とする同期モータの制御装置。
【請求項１２】
同期モータに可変電圧・可変周波数の交流を供給する電力変換回路と、前記同期モータに流れる電流を検出する電流検出手段と、周波数指令値，電流指令値，および前記電流検出手段の出力を入力し、前記電力変換回路を制御する制御手段と、この制御手段内に設けられ、前記同期モータの起動時に、その回転子を所定の目標回転角度位置まで回転させ停止させるように、前記同期モータの電機子巻線に対して前記電力変換回路から通電させる位置決め制御部と、この位置決めの後に、前記電力変換回路から可変電圧・可変周波数の交流を前記電機子巻線に供給させる同期運転制御部を備えた同期モータの制御装置において、前記位置決め制御部は、前記目標回転角度位置を、時間の経過にともなって移動させる位相回転制御部を備えたことを特徴とする同期モータの制御装置。
【請求項１３】
請求項１１または１２において、前記位置決め制御部は、前記電機子巻線に流れる電流を所定値まで増加させる初期位置決め制御部と、その後、電流を前記所定値付近に保ちながら、前記電機子巻線内の電流径路または前記目標回転角度位置を時間の経過とともに連続的に変化させる位相回転制御部を備えたことを特徴とする同期モータの制御装置。
【請求項１４】
請求項１１〜１３のいずれかにおいて、前記位相回転制御部を、前記制御手段に入力する前記周波数指令が実質的にゼロに固定されたままで、前記電機子巻線内の電流径路または前記目標回転角度位置を時間の経過とともに連続的に変化させるように構成したことを特徴とする同期モータの制御装置。
【請求項１５】
請求項１１〜１４のいずれかにおいて、前記位相回転制御部は、前記電機子巻線に流れる電流を増加させることを特徴とする同期モータの制御装置。
【請求項１６】
請求項１１，１２または１４において、前記位置決め制御部は、前記位置決めの全期間に亘って、前記位相回転を行う位置決め制御部を備えたことを特徴とする同期モータの制御装置。
【請求項１７】
請求項１１〜１６のいずれかにおいて、前記電力変換回路は、３相の正負アームに半導体スイッチを備え、前記位置決め制御部は、前記電力変換回路内の１相（又は２相）の前記半導体スイッチのオン／オフ状態を固定し、他の２相（又は１相）の前記半導体スイッチをオン／オフ制御する位相回転制御部を備えたことを特徴とする同期モータの制御装置。
【請求項１８】
請求項１１〜１６のいずれかにおいて、前記電力変換回路は、３相の正負アームに半導体スイッチを備え、前記位置決め制御部は、前記電力変換回路内の１相の負（又は正）アームの半導体スイッチをオンに固定した状態で、他の２相の負（又は正）アームの半導体スイッチを同時にオンする期間を含むように前記半導体スイッチをオン／オフ制御する位相回転制御部を備えたことを特徴とする同期モータの制御装置。
【請求項１９】
請求項１１〜１６のいずれかにおいて、前記電力変換回路は、３相の正負アームに半導体スイッチを備え、前記位置決め制御部は、前記電力変換回路内の第１、２相の負（又は正）アームの半導体スイッチをオン状態に固定する第１のスイッチパターンと、第１，３相の負（又は正）アームの半導体スイッチをオン固定とする第２のスイッチパターンとの組み合わせで、前記半導体スイッチをオン／オフ制御することを特徴とする同期モータの制御装置。
【請求項２０】
請求項１１〜１９のいずれかにおいて、低分解能回転位置センサーを備え、前記制御手段は、前期低分解能回転位置センサーの出力を用いた位置フィードバック制御部を備えたことを特徴とする同期モータの制御装置。
【請求項２１】
請求項１１〜２０のいずれかにおいて、前記位置決め制御部は、前記電機子の１相の正または負のピーク電流位相を跨ぐように、前記目標回転角度位置または前記電機子内の電流流通径路を時間の経過とともに連続的に移動させる位相回転制御部を備えたことを特徴とする同期モータの制御装置。
【請求項２２】
請求項１１〜２１のいずれかにおいて、前記位相回転制御部は、前記制御手段内の電圧制御系の電圧指令値を操作し、前記目標回転角度位置または前記電機子内の電流流通径路を時間の経過とともに連続的に移動させる位相回転部を備えたことを特徴とする同期モータの制御装置。
【請求項２３】
請求項１１〜２１のいずれかにおいて、前記位相回転制御部は、前記制御手段内の電流制御系の電流指令値を操作し、前記目標回転角度位置または前記電機子内の電流流通径路を時間の経過とともに連続的に移動させる位相回転部を備えたことを特徴とする同期モータの制御装置。
【請求項２４】
請求項１１〜２３のいずれかにおける前記同期モータの制御装置と、この制御装置によって制御される同期モータを回転駆動源として駆動される電動コンプレッサ。
【発明の詳細な説明】
【技術分野】
【０００１】
本発明は、同期モータの制御方法および装置に係り、特に回転子の回転位置を検出する磁極位置センサ無し、または、低分解能な位置センサを用いた時に、同期モータを安定に起動するモータ制御方法および装置に関する。
【背景技術】
【０００２】
各種同期モータのうち永久磁石同期モータを例として、磁極位置センサ無しでモータを駆動する場合、起動過程は、（１）位置決めモード、（２）同期運転モード、そして、（３）位置フィードバック運転モードの順に進む。位置決めモード（１）では、特定の相に電流を通電して回転子の位置決めを行い、同期運転モード（２）では、永久磁石同期モータの回転角度位置の情報を用いずに（位置フィードバックを行わず）モータを駆動し、インバータの出力周波数を徐々に高めて、上記の位置決め状態から、ある回転数まで加速する。その後、位置フィードバック運転モード（３）では、磁極位置をセンサ無しで推定した回転角度位置の情報を用いて運転する。以下、このモード（３）を、位置センサレスモードと呼ぶ。
【０００３】
この方法では、任意の目標回転子位置を設定して電流を通電し、回転子の位置決めを行う際に、位置決めモードで目標とする回転子位置と、実際の回転子位置とが真逆にあった場合や、真逆付近の位置にあった場合、回転トルクが作用しない。このため、位置決めができず、そのまま同期運転モードに移行してしまい、制御系で作成している仮想の回転位置を回転させる。仮想の回転位置が、実際の回転子に対してトルクを出せるところまで回転すると、回転子が仮想位置まで逆回転方向から回転する。この回転により、モータに逆起電圧が発生し、電流が流れる。逆起電圧の大きさは回転子の速度に依存し、逆回転方向に負荷トルクが作用していない場合、実際の回転子に回転トルクが発生した時点で逆回転方向に高速で回転し、発生した逆起電圧で過電流に至ることがある。
【０００４】
停止した状態にある永久磁石同期モータを駆動する従来方法として、特許文献１に記載されたものがある。この方法では、磁石モータへの３相電機子巻線への電流経路を任意の１つに固定し、この電機子巻線に流れる電流を０から起動時に加わる最大負荷トルクに対応する電流以上まで徐々に高める。これにより、任意の位置にある回転子を、回転トルクが発生しない位置まで移動させる。これを位置決めモード期間と呼び、負荷トルクの大きさにかかわらず、一旦、所定の位置へ停止させ、その後、低速域での同期運転モードに切り替える。上記仮想の回転子位置と、実際の回転子位置とが真逆（１８０度）にあり、回転トルクが発生せず、位置決めできないときは、位相を変えた第２の位置決め期間を用意し、改めて、電流目標値に対して電流を０から徐々に増加させることが開示されている。
【０００５】
また、特許文献２には、位置決めモードの直流通電期間におけるスイッチング素子のスイッチング制御を工夫して、半導体スイッチング素子や周辺回路の電力損失および放射ノイズや伝導ノイズを減らすことが開示されている。
【０００６】
【特許文献１】特許第２５３３４７２号公報
【特許文献２】特開２００５−２１８２４７号公報
【発明の開示】
【発明が解決しようとする課題】
【０００７】
上記の従来方法では、位置決めモード状態での仮想の回転子位置と実際の回転子位置とが真逆であるときの対処法について、特許文献２には開示が無いが、特許文献１には、上記したように、位相を変えた第２の位置決め期間を用意するとしている。
【０００８】
しかし、第２の位置決め期間を用意した場合、位置決め期間が長くなるため、運転状態から停止して直ちに起動といった、短時間再起動が難しくなる。
【０００９】
また、直流駆動期間が長くなることにより、インバータを構成する半導体への負担や熱損失が大きくなる。
【００１０】
本発明の目的は、実際の回転子位置に関係なく、短時間再起動特性を実現する同期モータの制御方法および装置を提供することである。
【００１１】
本発明の他の目的は、位置決めモードから同期運転モードへの切り替え後に発生する大きな速度変化を抑制できる同期モータの制御方法および装置を提供することである。
【００１２】
さらに、本発明の他の目的は、インバータを構成する半導体への負担を軽くし、半導体の温度上昇を抑え、その長寿命化と信頼性の向上を図ることのできる同期モータの制御方法および装置を提供することである。
【課題を解決するための手段】
【００１３】
本発明はその一面において、同期モータの起動時に、その電機子巻線に対して通流径路を固定して通電する位置決めモードと、この位置決めモードの後に、可変電圧・可変周波数の交流を前記電機子巻線に供給する同期運転モードを備えた同期モータの制御において、前記位置決めモード中に、前記通流径路を時間の経過とともに連続的に移動させる位相回転モードを設けたことを特徴とする。
【００１４】
本発明は他の一面において、同期モータの起動時に、その回転子を所定の目標回転角度位置に向かって停止するように、電機子巻線に通電する位置決めモードと、この位置決めモードの後に、可変電圧・可変周波数の交流を前記電機子巻線に供給する同期運転モードを備えた同期モータの制御において、前記位置決めモード中に、前記目標回転角度位置を時間の経過とともに連続的に移動させる位相回転モードを設けたことを特徴とする。
【００１５】
前記電機子巻線に対する通流径路または前記目標回転角度位置の連続的移動は、周波数指令を実質的にゼロに固定したままで、磁界を若干の角度だけ回転させることであり、位置決めモードの終盤、途中、はじめ、あるいは全期間に亘って実行することができる。望ましくは、所定電流値に到達後の位置決めモードの終盤に実行する。
【発明の効果】
【００１６】
本発明の望ましい実施態様によれば、実際の回転子位置によらず、確実に位置決めをし、同期モータの短時間再起動を可能とすることができる。
【００１７】
また、本発明の望ましい実施態様によれば、同期モータの位置決めモードから同期運転モードへの切り替え後に発生する大きな速度変化を抑制することができる。
【００１８】
さらに、本発明の望ましい実施態様によれば、インバータを構成する半導体スイッチング素子への負担を軽くし、温度上昇を抑え、その長寿命化と信頼性の向上を図ることを可能とする。
【００１９】
本発明によるその他の目的と特徴は、以下に述べる実施例の中で明らかにする。
【発明を実施するための最良の形態】
【００２０】
＜座標軸についての定義＞
本実施例では、永久磁石同期モータの制御上のｄｃ−ｑｃ制御回転座標系での制御を基本としている。すなわち、回転子の磁束方向をｄ軸、そこから９０度進んだｑ軸からなるｄ−ｑ実回転座標系に対し、仮想回転子位置ｄｃ軸と、そこから９０度進んだ位置ｑｃ軸とからなる制御上のｄｃ−ｑｃ制御回転座標系での制御が基本となる。
【００２１】
なお、これ以降の説明においてｄｃ−ｑｃ座標軸を単に制御軸と呼ぶ。また、永久磁石同期モータは、非突極型で、リラクタンストルクの発生はないものとして説明する。
【００２２】
以下、図面を用いて本発明の望ましい実施例による同期モータの制御につき説明する。
【実施例１】
【００２３】
＜同期モータの制御装置の基本構成＞
図１は、本発明の実施例１による同期モータの制御装置の全体制御構成図であり、電動コンプレッサの駆動システムに適用している。モータ制御装置１は、制御部２、電力変換回路３、および電流検出手段４によって構成され、永久磁石同期モータ５へ、可変電圧・可変周波数の交流を供給し、可変速駆動する。
【００２４】
制御部２は、周波数指令値ω＊と、ｄ軸電流指令値Ｉｄ＊およびｑ軸電流指令値Ｉｑ＊を入力し、電流検出手段４の出力であるｄ軸電流検出値Ｉｄｃおよびｑ軸電流検出値Ｉｑｃを帰還入力して演算を行う。そして、最終的に、永久磁石同期モータ５に供給する３相交流電圧の指令値Ｖｕ＊'、Ｖｖ＊'、Ｖｗ＊'と、推定磁極位置θｄｃ'を出力する。
【００２５】
電力変換回路３は、上記の３相電圧指令値Ｖｕ＊'、Ｖｖ＊'、Ｖｗ＊'通りの電圧を永久磁石同期モータ５に印加する。
【００２６】
電流検出手段４は、モータ５に流れる３相交流電流のうちの２相、例えば、Ｕ相およびＷ相に流れる電流Ｉｕ、Ｉｗを検出する電流検出器６ａおよび６ｂと、３φ／ｄｑ変換部７から構成される。この３φ／ｄｑ変換部７は、電流検出器６ａ，６ｂで検出したモータ電流を、制御部２にて演算された推定磁極位置θｄｃ'を用いて３相軸から制御軸へ座標変換し、ｄ軸検出電流Ｉｄｃおよびｑ軸検出電流Ｉｑｃを求める。
【００２７】
コンプレッサ１９は永久磁石同期モータ５により駆動され、圧縮動作を行う。
【００２８】
図２は、本発明で採用する電力変換回路３の一例主回路概要図である。図に示すように、直流電圧源１５からの直流電力を、インバータ１６、ドライバ回路１７によって構成される電力変換回路３によって、可変電圧・可変周波数の交流に変換し、永久磁石同期モータ５へ供給する。インバータ１６は、ＩＧＢＴ（Insulated Gate Bipolar Transistor）やパワーＭＯＳ  ＦＥＴ（Metal Oxide Semiconductor Field Effect Transistor）などの半導体素子によって構成される。これら半導体は、Ｕ相、Ｖ相、Ｗ相の正負アームに用いられ、それぞれの正負アームの接続点が永久磁石同期モータ５へ配線されている。インバータ１６は、ドライバ回路１７が出力するＰＷＭパルス信号１８ａ、１８ｂ、１８ｃによってスイッチング駆動される。このスイッチングにより、任意の周波数と電圧の交流電力を永久磁石同期モータ５に印加してモータを駆動する。
【００２９】
図１に戻って、制御部２は、次のような演算処理部から構成されている。まず、電流制御部１３は、ｄ軸電流指令値Ｉｄ＊およびｑ軸電流指令値Ｉｑ＊と、ｄ軸電流検出値Ｉｄｃおよびｑ軸電流検出値Ｉｑｃとの差をそれぞれ求め、これらがゼロになるように、第２の電流指令値Ｉｄ＊＊およびＩｑ＊＊を調整する。次に、電圧指令値作成部８は、電流指令値Ｉｄ＊＊およびＩｑ＊＊と周波数指令値ω＊とを用いてベクトル演算を行いＶｄ＊およびＶｑ＊を出力する。また、積分器１４は、周波数指令値ω＊を用いて磁極位置θｄｃを演算する。運転モード判定部９は、位置決めモードを判定し、位相回転部１０は、ｄ軸およびｑ軸電圧指令値Ｖｄ＊およびＶｑ＊を用いて、位相を回転させたｄ軸およびｑ軸電圧指令値Ｖｄ＊'およびＶｑ＊'を演算するとともに、位置決めモード中に位相を回転させた角度Δθを出力する。ｄｑ／３φ変換部１１は、Ｖｄ＊'およびＶｑ＊'を制御軸から３相軸へ座標変換して、永久磁石同期モータ５に印加する３相電圧指令値Ｖｕ＊、Ｖｖ＊、Ｖｗ＊を出力する。最後に、スイッチング回数低減処理部１２は、運転モード判定部９による位置決めモードの判定に応じ、３相電圧指令値Ｖｕ＊、Ｖｖ＊、Ｖｗ＊を、後述する位置決めモードの通電時にスイッチング数を低減させた３相電圧指令値Ｖｕ＊'、Ｖｖ＊'、Ｖｗ＊'を出力する。
【００３０】
また、制御部２の多くの処理機能は、マイクロコンピュータやＤＳＰ（Digital Signal Processor）などの半導体集積回路による演算制御手段によって構成される。
【００３１】
＜同期モータ起動時の動作＞
永久磁石同期モータ５を起動する際の基本動作について説明する。
【００３２】
図３は、本発明の実施例１により永久磁石同期モータ５を起動する際の各運転モードの遷移を示した簡略図である。Ｉはモータ電流を示しており、本実施例１においては、電流制御系があるため、Ｉｄｃ＝Ｉｄ＊、Ｉｑｃ＝Ｉｑ＊である。
【００３３】
したがって、モータ電流Ｉは、次式にて表される。
【００３４】
【数１】
2007236048.tif 000003
この実施例における運転モードは、次の３つである。
【００３５】
（１）位置決めモード：各相のモータ巻線に、徐々に電流を流して永久磁石同期モータ５の回転子をある位置に固定する。
【００３６】
（２）同期運転モード：ｄ軸電流指令値Ｉｄ＊およびｑ軸電流指令値Ｉｑ＊と周波数指令ω＊に従って永久磁石同期モータ５に印加する電圧を決定する。
【００３７】
（３）位置センサレスモード：磁極位置の推定値による回転角度位置の情報を用いて運転する。
【００３８】
さらに、（１）位置決めモードを、本発明により、次の２つのモードに分けている。
【００３９】
（１１）初期位置決めモード：上位コントローラなどの他から与えられるｑ軸電流指令値Ｉｑ＊をゼロとし、ｄ軸電流指令値Ｉｄ＊により任意の相のモータ巻線に、徐々に電流を流し、ある目標値まで徐々に増加させる。
【００４０】
（１２）位相回転モード：電流値がある目標値に達すると一定値のままとし、電流経路を徐々に変化させる。
【００４１】
位相回転モードでの電流経路の変化は、後述するＰＷＭパルス信号に応じてスイッチング動作を行い、任意の相に電流を通電している状態で、スイッチング時間を変化させることによって実行する。なお、位置決めモードでは、永久磁石同期モータ５に直流を流すために、上位コントローラなどの他から与えられる周波数指令値ω＊は、実質的にゼロとなっている。
【００４２】
位置決めモードが終了後、同期運転モードへ遷移する。同期運転モードでは、ｄ軸電流指令値Ｉｄ＊を一定値のままとし（この起動方法を「Ｉｄ起動」と呼ぶ）、周波数指令値ω＊を増加させる。これにより、永久磁石同期モータ５は、周波数指令値ω＊に追従して加速する。
【００４３】
位置センサレスが可能な周波数になった時点で、位置センサレスモードへ遷移する。
【００４４】
＜位相回転位置決めの必要性＞
図４は、本発明の実施例１において、初期位置決めモードでの巻線電流の電流経路と、目標とする最終移動位置に収斂できた回転子位置を示す説明図であり、Ｕ相巻線軸より反対側の位置が、θ＝０度である。
【００４５】
図５は、本発明の実施例１において、初期位置決めモードでの回転子位置と制御軸のなす角度を横軸に、モータの出力トルクＴｍを縦軸に示した図で、回転子を時計方向に回転させるトルクの方向を正方向として図示している。
【００４６】
図６は、本発明の実施例１において、初期位置決めモード期間における各相の電流を示す図である。Ｕ，ＶおよびＷ相の電流を、図６のように流せば、電機子巻線による磁束方向は、θ＝０度であり、制御軸は、Ｕ相巻線軸の反対側（１８０度）の位置となる。モータトルクＴｍは、図５に示すように、巻線電流の増加とともに増大し、θ＝０度ではモータトルクはゼロとなり、巻線電流の大きさに関係なく、一旦回転した回転子は、θ＝０度の近傍で停止する。
【００４７】
図７は、本発明の実施例１において、初期位置決めモードでの巻線電流の電流経路と実際の回転子位置の説明図で、回転子が、θ＝１８０度の位置で停止していた場合を示している。図５に示すように、θ＝１８０度の位置では、電流が目標値まで増加しても、モータトルクはゼロであり、θ＝０度の位置へ、回転子を位置決めすることはできない。この状態で、同期運転モードに遷移した場合、実際の回転子に対して、制御軸がトルクを出せるところまで回転すると、実際の回転子が仮想の回転位置に逆回転側に引き込まれ、回転速度が異常に高速になり、逆起電圧が生じ過電流に至る場合がある。
【００４８】
上記図４〜７の結果を踏まえると、特定位相のみで位置決めを行った場合、回転子位置と制御軸のなす角度が１８０度付近で、位置決めできないデッドポイントが必ず存在することを理解できる。この問題を解決するために、特許文献１に開示されたように、複数回の異なる位相での位置決めモードを実行すれば良いが、短時間起動をする点で不利となり、また、インバータを構成する半導体素子への負担や熱損失が大きくなる。
【００４９】
そこで、本発明では、位相回転モードを追加し、１回の位置決めモードで位置決めのできないデッドポイントをカバーし、速やかで確実な位置決めを実現する。
【００５０】
＜位相回転位置決めモード＞
次に、本発明の特徴である位相回転位置決めモードについて説明する。
【００５１】
図８は、本発明の実施例１において、図３の（１１）および図４に示す初期位置決めモードの後の、図３の（１２）に示す位相回転モードでの巻線電流と、実際の回転子最終移動位置を示す説明図である。
【００５２】
図９は、本発明の実施例１における位相回転モードでの、回転子位置とＵ相巻線軸より反対側の位置（θ＝０度）とのなす角度を横軸に、モータの出力トルクをＴｍを縦軸に示した関係図である。
【００５３】
図１０は、本発明の実施例１における位相回転モードを含めた位置決めモードでの各相の電流の時間変化を示す説明図である。
【００５４】
位相回転モードによって、図８，１０に示すように、Ｗ相電流を増加させ、Ｕ相電流を減少させ、Ｖ相電流を急激に減少させることによって、図８の位相回転矢印で示す方向に制御軸を回転させる。これによって、モータトルクは、図９の位相回転矢印で示す方向にシフトし、回転子がデッドポイント付近の位置に停止していたとしても、斜線部分で示すモータトルクが発生するようになり、位置決めを可能とすることができる。
【００５５】
＜通流径路を固定した通電方法＞
以上に原理説明を行った本発明の実施例１における位置決めモードの電流通電方法としては、半導体スイッチング回数を低減する方法を採用している。
【００５６】
まず、比較のため、半導体スイッチング回数を低減しない一般的なインバータの通電方法について説明する。
【００５７】
図１１は、半導体スイッチング回数を低減しない通電方法のＰＷＭパルス波形ならびにインバータ各相の半導体スイッチング状況説明図である。
【００５８】
ここで注目すべき点は、全ての半導体スイッチが、全期間に亘ってオン、オフ制御されていることと、正負の直流入力端子Ｔｐ、Ｔｎを基準とした永久磁石同期モータ５の中性点Ｎｐの電位変動幅が、直流電圧源電圧Ｅｄに等しく大きいことである。スイッチング波形から明らかなように、三相全部の正側及び負側の半導体スイッチが同時にオンあるいは同時にオフする期間が存在する。したがって、負極側端子Ｔｎを基準とした永久磁石同期モータ５の中性点Ｎｐの電位は、直流電圧源電圧Ｅｄに等しい０〜Ｅｄで変動する。ここで、直流入力端子と永久磁石同期モータ５の中性点Ｎｐは、大地との間で浮遊容量にて接続されているため、永久磁石同期モータ５の中性点の電位が変動すると、放射ノイズや伝導ノイズの発信源となる。このため、半導体スイッチ及び周辺回路の電力損失を増大させ効率を低下させ、また、永久磁石同期モータ５の中性点Ｎｐの急峻な電位変化により、伝導ノイズ及び放射ノイズの発信源となり、周辺回路の誤動作、上位との通信不通の発生を招く恐れがある。
【００５９】
図１２は、本発明の実施例１において、位置決めモードの電流通電方法として半導体スイッチング回数を低減する方法を採用したときのＰＷＭパルス波形ならびにインバータ各相の半導体スイッチング状況を示した説明図である。図１２において、ＰＷＭキャリアの谷周期で、半導体スイッチパターン（１）と（２）とを切り替えながら交互に繰返すことでスイッチング回数を低減する。ここでは、Ｕ相の半導体スイッチのスイッチングがゼロとなるのに加え、Ｖ相及びＷ相の半導体スイッチのスイッチング回数も半減させている。もちろん、Ｖ相又はＷ相のいずれか１相の負アーム半導体スイッチをＰＷＭ谷周期でオン固定とするため、オン固定とした相の不足電圧分を補うための加算処理をスイッチング回数低減処理内で行っている。
【００６０】
図１３は、本発明の実施例１における位置決めモードでの半導体スイッチパターンを示す回路説明図である。図１３において、Ｕ相とＷ相の負アーム半導体スイッチがオン固定となるパターン（１）と、Ｕ相とＶ相の負アーム半導体スイッチがオン固定となるパターン（２）があり、パターン（１）及び（２）は、ＰＷＭ谷周期で切り替わる。この通電方法では、１相の半導体スイッチのオン、オフ状態を固定した状態で、他の２相の半導体スイッチをオン、オフ制御するものとしたが、２相の半導体スイッチのオン、オフ状態を固定し、他の１相の半導体スイッチをオン、オフ制御することもできる。
【００６１】
これにより、半導体スイッチのスイッチング回数及び永久磁石同期モータ５の中性点電位変動幅を半導体スイッチング回数を低減しない場合の１／３まで大幅に低減できる。この結果、半導体スイッチ及び周辺回路の電力損失ならびに放射ノイズ、伝導ノイズを大幅に軽減できる。また、２個の異なるスイッチパターンを切り替えることにより、特定の半導体スイッチのスイッチング回数の増大に伴う負担を軽減し、半導体スイッチの温度上昇を抑え、その長寿命化と信頼性の向上を図ることができる。
【００６２】
また、上記方法の他、以下に示すような方法においても半導体スイッチのスイッチング回数を低減することができる。
【００６３】
図１４は、本発明の実施例１において、位置決めモードの電流通電方法として半導体スイッチング回数を低減する第２の方法を採用したときのＰＷＭパルス波形ならびにインバータ各相の半導体スイッチング状況を示した説明図である。
【００６４】
図１５は、図１４におけるＰＷＭパルス波形ならびにインバータ各相の半導体スイッチパターンを示す回路説明図である。
【００６５】
これらの図に示すように、位置決めモード期間に、１相の半導体スイッチのオン、オフ状態を固定し、他の２相の半導体スイッチをそれぞれオン、オフ制御する。特に、他の２相の２個の正極側半導体スイッチと、２個の負極側半導体スイッチをそれぞれ対として同時にオン、オフ制御する。
【００６６】
これにより、インバータのスイッチング回数及び永久磁石同期モータ５の中性点電位変動幅を半導体スイッチング回数を低減しない場合の２／３まで低減できる。その結果、半導体スイッチ及び周辺回路の電力損失ならびに放射ノイズ・伝導ノイズを軽減できる。
【００６７】
＜位相回転モード＞
図１６および図１７は、本発明の実施例１における第１および第２の位相回転モードでのＰＷＭパルスによるインバータ各相の半導体スイッチング状況を示した説明図である。それぞれ、Ｖ相およびＷ相の電圧指令値を変化させることによって、図１６，１７に示すように、半導体スイッチング時間を変化させる。これによって、前述した半導体スイッチのスイッチング回数を低減する（１）と（２）の２種類の通電方法において、位相回転モードを実現することが可能となる。これらの例では、図８，１０で示したように、Ｖ相電流を減少させ、Ｗ相電流を増大させている。このとき、全体で流れるモータ電流は一定となるように、Ｖ相とＷ相の半導体スイッチングの比率のみを変化させる。
【００６８】
もちろん、半導体スイッチのスイッチング回数を低減しない通電方法においても、Ｕ相〜Ｗ相の電圧指令を変化させスイッチング時間を変化させることで実現できる。
【００６９】
また、ある特定相の電流の正または負のピークを跨ぐように位相を回転することで、他の２相に対してインバータを構成する半導体への負担や熱損失を均一化することができる。一般的に、インバータを構成するＩＧＢＴと還流ダイオードにおいて、還流ダイオードの耐熱性はＩＧＢＴより低くなり、位置決めモードのように一定の直流駆動期間を有する場合、還流ダイオードの熱容量が問題となる。
【００７０】
図１８は、本発明の実施例１における位相回転モードでの、回転子位置がθ＝０度となす角度に対するモータ電流と、各相の電流の時間変化を示す説明図である。図に示すように、Ｕ相の負の（マイナス）ピーク位相を中心として、左右対称に位相θ１だけ回転させれば、Ｖ相、Ｗ相の還流ダイオードへの負担は均一となり、最適設計をすることが可能となる。例えば、回転子を停止させる目標位置を、−１５°〜＋１５°の間で移動させれば、回転子が１８０度のデッドポイントに位置する場合でも、回転子から見て等価的に、−１６５°〜＋１６５°の間に目標回転角度位置が存在することになる。したがって、デッドポイントにある回転子を回転させ、速やかな位置決めを実現することができる。
【００７１】
さて、図１に戻って、コンプレッサ１９の圧縮動作途中で同期モータ５を停止し、すぐに、同期モータを起動する必要がある場合、コンプレッサ１９からモータへ負荷が加わった状態となっている。この場合、前述したデッドポイントは、負荷の全く無い状態と比較して広くなる。そこで、位置決めモードにおいて、本実施例１の位相回転を行うことにより、デッドポイントをカバーすることができ、確実に短時間再起動を行うことができる。
【００７２】
以上の実施例１では、まず、同期モータ５の回転子を目標回転角度位置まで回転させ停止させるように、電機子巻線に対して通流径路を固定して通電する位置決めモードを有する。いわゆる、直流通電による位置決めモードである。前提として、この位置決めモードの後に、可変電圧・可変周波数の交流を同期モータの電機子巻線に供給する同期運転モードを備えている。ここで、位置決めモード中に、目標回転角度位置または電機子巻線に対する電流通流径路を時間の経過とともに連続的に移動させる位相回転モードを設けている。すなわち、目標回転角度位置または電機子巻線に対する電流通流径路を移動させることによって、周波数指令ω＊を実質的にゼロに固定したままで、磁界を若干回転させるのである。具体的には、初期位置決めモードの後半に電流指令値が目標値に達した後、この実施例の場合には、電圧指令値Ｖｄ＊，Ｖｑ＊を変化させてＶｄ＊’，Ｖｑ＊’を作り、インバータの半導体スイッチング時間を変化させ、位相回転モードを実現している。この位相回転モードにより、初期位置決めモードにて発生する位置決めのできないデッドポイントをカバーできる。
【００７３】
このようにして、実際の回転子がどの位置にあっても確実に位置決めを行い、短時間再起動を可能にする。
【実施例２】
【００７４】
次に、本発明による同期モータ制御方法および装置の実施例２について以下説明する。実施例１と異なる点は、位相回転モードにおいて、モータ電流を一定とせず増加または減少させ、同期運転モードに遷移する点である。
【００７５】
本実施例２における装置の構成は実施例１と同じであり、図１および図２に示した通りであり、構成の説明は省略する。また、位置決めモードにおける通電方法、位相回転方法も、実施例１と同じであるため、説明は省略する。
【００７６】
図１９は、本発明の実施例２により、モータ電流を増加させながら位相回転させる際の各運転モードの遷移を示した簡略図である。同期モータ５の運転モードは、実施例１と同じく（１）位置決めモードと、（２）同期運転モードと、（３）位置センサレスモードの３つがある。また、（１）位置決めモードに、（１１）初期位置決めモードと、（１２）位相回転モードがあることも同じであるが、位相回転モードにおいて、電流を時間とともに増加させるようにしたことだけが異なっている。
【００７７】
さて、初期位置決めモード（１１）では、実施例１と同じく、上位コントローラなどの他から与えられるｑ軸電流指令値Ｉｑ＊をゼロとし、ｄ軸電流指令値Ｉｄ＊により任意の相のモータ巻線に、徐々に電流を流し、ある目標値まで徐々に増加させる。次に、電流値がある目標値に達すると、目標値から電流を増加しつつ、電流経路を徐々に変化させる位相回転モード（１２）に入る。位置決めモードでは、永久磁石同期モータ５に直流を流すために上位コントローラなどの他から与えられる周波数指令値ω＊は、実質的にゼロとなっている。
【００７８】
位置決めモードの終了後、同期運転モード（２）へ遷移する。同期運転モードでは、ｄ軸電流指令値Ｉｄ＊を一定値のままとし、周波数指令値ω＊を増加させる。これにより、永久磁石同期モータ５は、周波数指令値ω＊に追従して加速する。
【００７９】
位置センサレスが可能になる周波数になった時点で、位置センサレスモード（３）へ遷移する。
【００８０】
本実施例２では、初期位置決めモード実施後の位相回転モードにおいて、モータ電流Ｉを徐々に増加させている。位相回転モード中に電流を増加させることで、初期位置決めモードにて位置決めできないデッドポイント付近に停止していた場合にも、速やかにモータトルクを発生させ、位相回転モードの時間を短縮できる。このようにして、より早く、確実な、短時間再起動を可能にする。
【実施例３】
【００８１】
本発明の実施例３による同期モータ制御方法および装置を説明する。実施例１、２と異なる点は、初期位置決めモードと位相回転モードを同時に行い、同期運転モードに遷移する点である。
【００８２】
本実施例の構成は実施例１と同じで図１および図２で示され、構成の説明は省略する。また、位置決めモードにおける通電方法、位相回転方法も実施例１と同じであるため、説明は省略する。
【００８３】
図２０は、本発明の実施例３による同期モータの制御方法および装置を説明する各運転モードの遷移を示した簡略図である。運転モードは、実施例１と同じく（１）位置決めモードと、（２）同期運転モードと、（３）位置センサレスモードの３つである。
【００８４】
位置決めモード（１）では、初期位置決めモード（１１）と、電流経路を徐々に変化させる位相回転モード（１２）を同時に行う。
【００８５】
位置決めモードの終了後、同期運転モードへ遷移する。同期運転モードでは、ｄ軸電流指令値Ｉｄ＊を一定値のままとし、周波数指令値ω＊を増加させる。これにより、永久磁石同期モータ５は周波数指令値ω＊に追従して加速する。
【００８６】
位置センサレスが可能になる周波数になった時点で、位置センサレスモードへ遷移する。
【００８７】
本実施例３では、初期位置決めモードと位相回転モードを同時に行うため、従来の初期位置決めモードではモータトルクを発生させ得なかったデッドポイント付近に対して、より早くモータトルクが働くようになる。したがって、位相回転モード時間を短縮できる。このようにして、より早く、確実な短時間再起動を可能にする。
【実施例４】
【００８８】
図２１は、本発明の実施例４による同期モータ制御装置の全体構成図であり、電動コンプレッサの駆動システムに適用している。実施例１〜３と異なる点は、制御部２において、電圧指定値作成部８の出力であるｄ軸、ｑ軸電圧指定値Ｖｄ＊、Ｖｑ＊に対して位相回転処理を行うのではなく、ｄ軸、ｑ軸電流指令値Ｉｄ＊、Ｉｑ＊に対して位相回転処理を行う点である。したがって、実施例１と同じ機能や構成を有するものには同じ符号を付してその説明は省略する。
【００８９】
制御部２は、運転モード判定部９により位置決めモードを判定し、位相回転部１０にてｄ軸およびｑ軸電流指令値Ｉｄ＊、Ｉｑ＊の位相を回転させたＩｄ＊'およびＩｑ＊'を作成している点が実施例１と異なっている。そして、これら位相回転後のｄ軸およびｑ軸電流指令値Ｉｄ＊'、Ｉｑ＊'と、電流検出値Ｉｄｃ、Ｉｑｃとの差をそれぞれ求め、電流制御部１３にて、これらがゼロになるように、第２の電流指令値Ｉｄ＊＊、Ｉｑ＊＊を調整する。
【００９０】
積分器１４により、周波数指令値ω＊を用いて磁極位置θｄｃを演算し、位置決めモード中には、位相を回転させた角度Δθを用いて推定磁極位置θｄｃ'を出力する。
【００９１】
電圧指令値作成部８は、Ｉｄ＊＊およびＩｑ＊＊と周波数指令値ω＊とを用いてベクトル演算を行いＶｄ＊およびＶｑ＊を出力し、最終的にｄｑ／３φ変換部１１にて３相電圧指令値Ｖｕ＊、Ｖｖ＊、Ｖｗ＊を出力する。また、位置決めモードではスイッチング回数低減処理部１２によりスイッチングを低減させた３相電圧指令値Ｖｕ＊'、Ｖｖ＊'、Ｖｗ＊'を出力する。
【００９２】
ｄ軸およびｑ軸電流指令値Ｉｄ＊、Ｉｑ＊に位相回転処理を行う場合は、位相回転時に時間の経過とともにＩｄ＊、Ｉｑ＊の割合を変化させ、Ｉｄ＊'、Ｉｑ＊'とすることで可能となる。このような構成においても、実施例１〜３と同等の効果を得ることが可能である。
【図面の簡単な説明】
【００９３】
【図１】本発明の実施例１〜３による同期モータの制御装置の全体制御構成図。
【図２】本発明で採用する電力変換回路３の一例主回路概要図。
【図３】本発明の実施例１により同期モータ起動時の各運転モードの遷移簡略図。
【図４】本発明の実施例１において、初期位置決めモードでの巻線電流の電流経路と、目標とする最終移動位置に収斂できた回転子位置を示す説明図。
【図５】本発明の実施例１において、初期位置決めモードでの回転子位置と制御軸のなす角度を横軸に、モータの出力トルクＴｍを縦軸に示した説明図。
【図６】本発明の実施例１における初期位置決めモードでの各相の電流値を示す図。
【図７】本発明の実施例１において、初期位置決めモードでの各巻線電流の大きさと、位置決めできない回転子位置の説明図。
【図８】本発明の実施例１による位相回転モードでの各巻線電流の大きさと、回転子の初期位置および移動後の最終位置を示す説明図。
【図９】本発明の実施例１による位相回転モードによって、回転子位置に対するモータトルクを変化させた状況を説明する関係図。
【図１０】本発明の実施例１における位相回転モードを含めた位置決めモードでの各相の電流の時間変化を示す説明図。
【図１１】半導体スイッチング回数を低減しない通電方法のＰＷＭパルス波形ならびにインバータ各相の半導体スイッチング状況説明図。
【図１２】本発明の実施例１による位置決めモードの第１の電流通電時のＰＷＭパルス波形とインバータ各相の半導体スイッチング状況を示した説明図。
【図１３】本発明の実施例１における位置決めモードでの半導体スイッチパターンを示す回路説明図。
【図１４】本発明の実施例１による位置決めモードの第２の電流通電時のＰＷＭパルス波形とインバータ各相の半導体スイッチング状況を示した説明図。
【図１５】図１４におけるＰＷＭパルス波形ならびにインバータ各相の半導体スイッチパターンを示す回路説明図。
【図１６】本発明の実施例１における第１の位相回転モードでのＰＷＭパルスによるインバータ各相の半導体スイッチング状況を示した説明図。
【図１７】本発明の実施例１における第２の位相回転モードでのＰＷＭパルスによるインバータ各相の半導体スイッチング状況を示した説明図。
【図１８】本発明の実施例１における位相回転モードでの、回転子位置がθ＝０度となす角度に対するモータ電流と、各相の電流の時間変化を示す説明図。
【図１９】本発明の実施例２による同期モータ起動時の運転モード遷移簡略図。
【図２０】本発明の実施例３による同期モータ起動時の運転モード遷移簡略図。
【図２１】本発明の実施例４による同期モータ制御装置の全体構成図。
【符号の説明】
【００９４】
１…モータ制御装置、２…制御部、３…電力変換回路、４…電流検出手段、５…永久磁石同期モータ、６ａ，６ｂ…電流検出器、７…３φ／ｄｑ変換部、８…電圧指令値作成部、９…運転モード判定部、１０…位相回転部、１１…ｄｑ／３φ変換部、１２…スイッチング回数低減処理部、１３…電流制御部、１４…積分器、１５…直流電圧源、１６…インバータ、１７…ドライバ回路、１８ａ〜１８ｃ…ＩＧＢＴ駆動信号、１９…コンプレッサ、Ｉｄｃ，Ｉｑｃ…ｄ，ｑ軸電流検出値、Ｉｄ＊，Ｉｑ＊…ｄ，ｑ軸電流指令値、Ｉｄ＊＊，Ｉｑ＊＊…第２のｄ，ｑ軸電流指令値、Ｉｕ〜Ｉｗ…Ｕ〜W相電流検出値、Ｖｄ＊，Ｖｑ＊…ｄ，ｑ軸電圧指令値、Ｖｕ＊〜Ｖｗ＊…Ｕ〜W相電圧指令値、ω＊…周波数指令、θｄｃ…磁極位置、θｄｃ'…推定磁極位置、Δθ…位置決めモード中に位相を回転させた角度。
【図１】
2007236048.tif 000004
【図２】
2007236048.tif 000005
【図３】
2007236048.tif 000006
【図４】
2007236048.tif 000007
【図５】
2007236048.tif 000008
【図６】
2007236048.tif 000009
【図７】
2007236048.tif 000010
【図８】
2007236048.tif 000011
【図９】
2007236048.tif 000012
【図１０】
2007236048.tif 000013
【図１１】
2007236048.tif 000014
【図１２】
2007236048.tif 000015
【図１３】
2007236048.tif 000016
【図１４】
2007236048.tif 000017
【図１５】
2007236048.tif 000018
【図１６】
2007236048.tif 000019
【図１７】
2007236048.tif 000020
【図１８】
2007236048.tif 000021
【図１９】
2007236048.tif 000022
【図２０】
2007236048.tif 000023
【図２１】
2007236048.tif 000024